(57)【要約】【課題】脚部や腕部等の被施療部を快適な感覚で揉みマッサージでき、また被施療部を安定して保持して指圧効果の十分に得られるマッサージユニットを提供する。【解決手段】被施療部が挿入され、対向する２つの側壁の間に上面と前後両端が開口して形成される凹部（２０）と、凹部の一方の側壁面に配置された側面エアバック（３０）と、他方の側壁面に配置され、側面エアバックを膨張させたときに被施療部が埋没する程度の弾力性を有する弾性部材（５０）とを有し、側面エアバックの膨張と収縮を繰り返すことによって被施療部にマッサージを施す。また凹部の底面には、底面エアバック（４０）により出没する指圧子（４２）を配置し、前記側面エアバック（３０）を膨張させて、側面エアバック（３０）と弾性部材（５０）間に被施療部を挟んだ状態で、指圧子（４２）を出没させることにより、被施療部をマッサージする。【選択図】      図３
2004230020.tif 000002
【特許請求の範囲】
【請求項１】
対向する２つの側壁の間に上面と前後両端が開口して形成される凹部と、該凹部の側壁面に配置され膨張及び収縮可能な側面エアバックとを具え、凹部に被施療者の被施療部を挿入し、側面エアバックの膨張と収縮を繰り返すことによって被施療部にマッサージを施すマッサージユニットにおいて、側面エアバックは、凹部の一方の側壁面にのみ配置され、凹部の側面エアバックが配置されていない側壁面には、側面エアバックを膨張させたときに、被施療部が埋没する程度の弾力性を有する弾性部材が配備されるマッサージユニット。
【請求項２】
前記凹部の底面には、指圧子駆動手段により出没する指圧子が配置されており、前記側面エアバックを膨張させて、側面エアバックと弾性部材間に被施療部を挟んだ状態で、指圧子駆動手段を動作させて指圧子を出没させることにより、被施療部をマッサージするようにした請求項１に記載のマッサージユニット。
【請求項３】
前記指圧子駆動手段は、凹部の底面に配置された底面エアバックであって、該底面エアバックには、被施療者に指圧を施す指圧子が突設されている請求項２に記載のマッサージユニット。
【請求項４】
凹部は、上開口面を縮小させる狭隘部を有する請求項２又は請求項３に記載のマッサージユニット。
【請求項５】
前記弾性部材が配備された側壁面は、凹部の幅が開口側に向けて狭くなるように傾斜している請求項４に記載のマッサージユニット。
【請求項６】
請求項１乃至請求項５の何れかに記載のマッサージユニットを椅子の被施療者の腰掛けるシート部の前方に配置したことを特徴とするマッサージ機。
【請求項７】
前記シート部先端に、被施療者の脚部をマッサージする請求項１乃至請求項５の何れかに記載のマッサージユニットを配備した請求項６に記載のマッサージ機。
【請求項８】
前記シート部前方の被施療者の足先に対応した位置に請求項１乃至請求項５の何れかに記載のマッサージユニットを配備した請求項６又は請求項７に記載のマッサージ機。
【発明の詳細な説明】
【０００１】
【発明の属する技術分野】
本発明は、被施療者の脚部や腕部等の被施療部にマッサージを施すマッサージユニットに関するものである。
【０００２】
【従来の技術】
被施療者が腰掛けてマッサージを受ける椅子型のマッサージ機に脚部用のマッサージユニットを配置したものがある。
【０００３】
この種マッサージユニットとして、被施療者の脚部を挿入できる形状に形成された凹部の夫々の側壁面に夫々エアバックを配置し、エアバックの膨張と収縮を繰り返すことにより、脚部を挟み揉みマッサージするものがある（例えば、特許文献１参照）。
【０００４】
さらに、凹部の底面に指圧子を配置し、指圧子を出没させて、側面からだけでなく、底面からも指圧マッサージを施せるようにしたマッサージユニットもある（例えば、特許文献２参照）。
【０００５】
【特許文献１】
特開２００１−９５８６７号公報（第３−８頁、第１図）
【特許文献２】
特開平１１−１２８２８９号公報（第４−８頁、第１図）
【０００６】
【発明が解決しようとする課題】
しかしながら、凹部の両方の側壁面からエアバックを作用させる方式では、エアバックが膨張、収縮の際に凹部の側壁面から受ける応力を減少させるために、エアバックは側壁面に完全に接着されるのではなく、一部だけを接着し、ある程度自由に動ける状態になっているので、凹部に収容されたときの脚部の位置や形状によっては、エアバックが膨張したときに、両側のエアバックからの力によって脚部が押し出されてしまうことがあり、効率の良いマッサージ効果が得られない。
【０００７】
また、この状態で指圧子による指圧マッサージを施しても、脚部は安定して保持されていないから、指圧子が脚部に十分に届かず、効果の高いマッサージを施すことは困難であった。
【０００８】
さりとて脚部を安定して保持するために、エアバックをより膨張力の大きいものに変えると、脚部への圧迫が強くなりすぎて、脚全体を締め付けるようなマッサージ感があり、人にマッサージしてもらうような（一部分をマッサージしているような）マッサージ感が得られず、また皮膚感度が低下して、指圧子による指圧マッサージ効果が却って低下する（指圧子により指圧しているのが感じなくなる）問題があった。
【０００９】
本発明の目的は、脚部や腕部等の被施療部を人にマッサージしてもらうような感覚でマッサージを施すことのできるできるマッサージユニットを提供することである。また被施療部を安定して保持して指圧効果の十分に得られるマッサージユニットを提供することである。
【００１０】
【課題を解決するための手段】
上記課題を解決するために、本発明のマッサージユニットは、対向する２つの側壁の間に上面と前後両端が開口して形成される凹部と、該凹部の側壁面に配置され膨張及び収縮可能な側面エアバックとを具え、凹部に被施療者の被施療部を挿入し、側面エアバックの膨張と収縮を繰り返すことによって被施療部にマッサージを施すマッサージユニットにおいて、側面エアバックは、凹部の一方の側壁面にのみ配置され、凹部の側面エアバックが配置されていない側壁面には、側面エアバックを膨張させたときに、被施療部が埋没する程度の弾力性を有する弾性部材を配備したものである。
【００１１】
かかる手段により、凹部の一方の側壁面の側面エアバックが膨張するにつれ、被施療部が他方の側壁面の弾性部材へと押し付けられ、弾性部材が被施療部の形状に応じて変形し弾性部材に埋没していく。これにより、側面エアバックの膨張力を大きくしなくとも被施療部は凹部から逃げることなく安定して保持され、強い圧迫感を感じることなく人にマッサージしてもらうようなマッサージ感を得ることができる。
【００１２】
また本発明のマッサージユニットは、前記凹部の底面には、指圧子駆動手段により出没する指圧子を配置し、前記側面エアバックを膨張させて、側面エアバックと弾性部材間に被施療部を挟んだ状態で、指圧子駆動手段を動作させて指圧子を出没させることにより、被施療部をマッサージする。
【００１３】
かかる手段により、被施療部を凹部に強い圧迫感を与えることなく安定して保持できるので、指圧子による効果的な指圧マッサージ得ることができる。
【００１４】
また本発明のマッサージユニットは、凹部は、上開口面を縮小させる狭隘部を有するものとするとよい。
【００１５】
かかる構成により、側面エアバックを膨張させたときに、被施療部が凹部から押し出させることを確実に防止することができる。
【００１６】
また本発明のマッサージ機は、上記マッサージユニットを、被施療者の腰掛ける椅子のシート部の前方に配備したもので、具体的には、被施療者の脚部をマッサージできるように、シート部の先端に配備したり、被施療者の足先をマッサージできるように、足先に対応した位置に配備する。
【００１７】
本発明のマッサージ機によれば、被施療者は椅子に腰掛けた状態で、脚部や足先部をマッサージユニットの凹部に挿入することにより、脚部や足先部に効果的な挟み揉みマッサージや指圧マッサージを施すことができる。
【００１８】
【発明の実施の形態】
以下、図１に示すように、本発明のマッサージユニットを、椅子型マッサージ機（７０）のシート部（７２）の前方に配置した脚部用マッサージユニット（１０）と、脚部用マッサージユニット（１０）の先端に配置される足先用マッサージユニット（８０）について説明する。椅子型マッサージ機（７０）は公知のものを用いることができる。例えば、椅子型マッサージ機（７０）として、図１及び図２に示すように、椅子の背凭れ部（７４）に左右一対の施療指（７６）（７６）を有するマッサージ機構（７５）を配置したものを挙げることができる。マッサージ機構（７５）は、背凭れ部（７４）に沿って上下に昇降可能であり、施療指（７６）（７６）を互いに接近離間して被施療者に揉みマッサージを施したり、上下に揺動して叩きマッサージを施すことができる。背凭れ部（７４）は、図示しない布カバーで覆われている。
【００１９】
脚部用マッサージユニット（１０）
マッサージ機（７０）のシート部（７２）には、連結フレーム（１４）を介して、回動自在且つ任意の角度で位置決め可能に脚部用マッサージユニット（１０）が配備される。
【００２０】
脚部用マッサージユニット（１０）は、図３に示すように、ユニット筺体（１２）に被施療者の脚部（ふくらはぎ）を挿入する一対の凹部（２０）（２０）を形成し、凹部（２０）（２０）の各々に側面エアバック（３０）と指圧子駆動手段（４０）を配備して形成される。なお、以下では、指圧子駆動手段として、底面エアバック（４０）を用いた例について説明するが、指圧子駆動手段はこれに限定されず、例えば、モータ等で駆動する機構としてもよい。
【００２１】
ユニット筺体（１２）は、凹部（２０）（２０）の底面（２６）（２６）を構成する底壁（１５）と、該底壁（１５）の両端から上方に向けて平行に形成された第１側壁（１６）（１６）と、該第１側壁（１６）（１６）の間に第１側壁（１６）（１６）と対向するよう突設された第２側壁（１８）とを具える。ユニット筺体（１２）は樹脂等によって形成することができる。底壁（１５）には、マッサージ機（７０）に連繋する連結フレーム（１４）が形成されている。
【００２２】
凹部（２０）は、第１側壁（１６）、第２側壁（１８）及び底壁（１５）によって形成され、凹部の上面、前後両端は開口している。
凹部（２０）には、第１側壁（１６）又は第２側壁（１８）の側壁面の一方に側面エアバック（３０）が配備される。なお、図３では、夫々外側に位置する第１側壁（１６）の側壁面（２２）に沿うように側面エアバック（３０）が取り付けられている。また、他方の側壁面（２４）（図３では第２側壁（１８）の側壁面）には後述する弾性部材（５０）が張り付けられている。
【００２３】
側面エアバック（３０）は、ポリエチレン等から構成することができる。側面エアバック（３０）は、側壁面（２２）に完全に接着等を施すと、膨張、収縮の際に側面エアバック（３０）の接着部分に応力が生じてしまうことがある。従って、図６に示すように、可撓性のベルト（３２）と側面エアバック（３０）を一体に成形し、ベルト（３２）の先端をユニット筺体（１２）にネジ止め等して取り付けることが望ましい。
【００２４】
側面エアバック（３０）は、チューブ（３４）（図６参照）を介してエアポンプ（図示せず）に接続され、エアポンプからの空気の供給を受けて膨張する。
【００２５】
弾性部材（５０）は、側面エアバック（３０）を膨張させたときに、被施療者の脚部が埋没する程度の弾性力を有するものを用いることが望ましく、ウレタン樹脂やスポンジ、発泡樹脂等から構成することができる。
【００２６】
凹部（２０）（２０）の底面（２６）（２６）には、図３に示すように、底面エアバック（４０）（４０）が取り付けられている。底面エアバック（４０）には、夫々ウレタン樹脂等からなる指圧子（４２）が突設されている。底面エアバック（４０）は、ナイロン製の布地にウレタンをラミネートしたものを袋状に溶着し、袋には指圧子（４２）が入る穴を設け、そこに指圧子（４２）を嵌め込み溶着されている。指圧子（４２）は柔軟な状態で装着されるので、底面エアバック（４０）が膨張したときに、被施療者の患部に指圧子（４２）の全体がフィットし、患部の一部分のみを押圧するようなことはない。底面エアバック（４０）もチューブ（４４）（図６参照）を介してエアポンプに接続される。
【００２７】
上記マッサージユニット（１０）は、布カバー（図示せず）で表面を覆い、連結フレーム（１４）を介して図１に示すように、椅子型マッサージ機（７０）に取り付けられる。この布カバーで覆うことにより、側面エアバック（３０）は、側壁面（２２）に接着等しなくても、凹部（２０）内へ倒れることはなく、側壁面（２２）に沿って保持される。被施療者が椅子型マッサージ機（７０）に腰掛けた状態で、脚部（ふくらはぎ）を凹部（２０）（２０）に夫々挿入し、側面エアバック（３０）を膨張させると、被施療者の脚部（６０）が、図６に示すように、側面エアバック（３０）に押されて弾性部材（５０）  へと押し付けられ、弾性部材が脚部（６０）の形状に応じて変形し弾性部材に埋没していく。これにより、側面エアバック（３０）の膨張力を大きくしなくとも脚部（６０）は凹部（２０）から逃げることなく安定して保持される。
従ってこの側面エアバック（３０）の膨張収縮を繰り返すことによって、強い圧迫感を感じることなく快適な揉みマッサージ感を得ることができる。
また側面エアバック（３０）を膨張させた状態で、底面エアバック（４０）を膨張させると、図６に示すように、指圧子（４２）が脚部（６０）を指圧マッサージする。脚部（６０）は側面エアバック（３０）と弾性部材（５０）によって強い圧迫感を感じることなく安定的に保持されているので、指圧子（４２）の押圧力によって、脚部（６０）が凹部（２０）から押し出されてしまうこともなく、効果的な指圧マッサージを施すことができる。
ここで底面エアバック（４０）として、ブロー成形により指圧子を一体成形することも考えられるが、この場合、ブロー成形上肉厚を薄くすることに限界があり、エアを供給した場合に、膨張するのに時間がかかり、指圧子による指圧効果が十分に発揮できない。
そこで本実施例においては、底面エアバック（４０）は、ナイロン製の布地にウレタンをラミネートしたものを袋状に溶着して構成しているので、エアの供給により素早く膨張し、底面エアバック（４０）の弾力性とそれと一体になっている指圧子（４２）の硬さによる相乗効果によって十分な指圧効果を得ることができる。
【００２８】
なお、指圧子（４２）は、凹部（２０）の幅方向に長い形状とし、底面エアバック（４０）に溶着しているから、脚部（６０）に局部的に強い押圧力が加わることがないので、被施療者が痛みを感じることもない。
【００２９】
側面エアバック（３０）と底面エアバック（４０）を一定時間毎に、または、ランダムに膨張、収縮させることによって、脚部（６０）に揉みマッサージ、指圧マッサージを組み合わせたマッサージを施すことができる。
足先用マッサージユニット（８０）
上記脚部用マッサージユニット（１０）の先端には、図１及び図２に示すように、足先用マッサージユニット（８０）が連結されている。足先用マッサージユニット（８０）は、図示省略するリンク機構により、常に水平状態（図１の状態）を維持できるように連結されており、図２に示すように、脚部用マッサージユニット（１０）を揺動させても、足先用マッサージユニット（８０）は水平状態を保つ。従って、図２の状態で、被施療者がマッサージ機（７０）に腰掛けたときに、足を前方に伸ばすことができる。
【００３０】
足先用マッサージユニット（８０）は、図４に示すように、ユニット筺体（８１）に被施療者の足先（くるぶしよりも下の部分）を挿入する一対の凹部（８２）（８２）を形成し、凹部（８２）（８２）の各々に側面エアバック（８３）と指圧子駆動手段（８４）を配備して形成される。指圧子駆動手段として、底面エアバック（８４）を用いた例について説明するが、指圧子駆動手段はこれに限定されず、例えば、モータ等で駆動する機構としてもよい。
【００３１】
ユニット筺体（８１）は、図４及び図５に示すように、凹部（８２）（８２）の底面（８５）（８５）を構成する底壁（８６）と、該底壁（８６）の両端から上方に向けて平行に形成された第１側壁（８７）（８７）と、該第１側壁（８７）（８７）の間に第１側壁（８７）（８７）と対向するよう突設された第２側壁（８８）とを具える。ユニット筺体（８１）は樹脂等によって形成することができる。底壁（８６）には、脚部用マッサージユニット（１０）に連繋する連結フレーム（８９）が形成されている。
【００３２】
凹部（８２）は、第１側壁（８７）、第２側壁（８８）及び底壁（８６）によって形成され、凹部の上面、前後両端は開口している。
【００３３】
凹部（８２）には、第１側壁（８７）又は第２側壁（８８）の側壁面の一方に側面エアバック（８３）が配備される。なお、図４では、夫々外側に位置する第１側壁（８７）の側壁面（９０）に沿うように側面エアバック（８３）が取り付けられている。また、他方の側壁面（９１）（図４では第２側壁（８８）の側壁面）には弾性部材（５０）と同様の弾性部材（９２）が張り付けられている。
【００３４】
側面エアバック（８３）は、側面エアバック（３０）と同様、ポリエチレン等から構成され、図７に示すように、可撓性のベルト（９３）と側面エアバック（８３）を一体に成形し、ベルト（９３）の先端をユニット筺体（８１）にネジ止め等して取り付けられている。側面エアバック（８３）は、チューブ（９４）（図７参照）を介してエアポンプ（図示せず）に接続され、エアポンプからの空気の供給を受けて膨張する。
【００３５】
弾性部材（９２）は、側面エアバック（８３）を膨張させたときに、被施療者の足先が埋没する程度の弾性力を有する。
凹部（８２）（８２）の底面（８５）（８５）には、図４に示すように、底面エアバック（８４）（８４）が取り付けられている。底面エアバック（８４）には、夫々ウレタン樹脂等からなる指圧子（９５）が突設されている。底面エアバック（８４）は、ナイロン製の布地にウレタンをラミネートしたものを袋状に溶着し、袋には指圧子（９５）が入る穴を設け、そこに指圧子（９５）を嵌め込み溶着されている。指圧子（９５）は柔軟な状態で装着されるので、底面エアバック（８４）が膨張したときに、被施療者の患部に指圧子（９５）の全体がフィットし、患部の一部分のみを押圧するようなことはない。底面エアバック（８４）もチューブ（９４）（図７参照）を介してエアポンプに接続される。
【００３６】
底面エアバック（８４）の上部には、指圧子（９５）の突出する孔（９６）が複数開設された足裏受部（９７）が形成されている。足裏受部（９７）は、凹部（８２）に固定されており、底面エアバック（８４）が収縮した状態で、被施療者が足裏で踏んでも、足裏に強く指圧子（９５）が当たらないようにしている。
【００３７】
上記マッサージユニット（８０）は、布カバー（図示せず）で表面を覆い、連結フレーム（８９）（図４参照）を介して図１及び図２に示すように、脚部用マッサージユニット（１０）に取り付けられる。この布カバーで覆うことにより、側面エアバック（８３）は、側壁面（９０）に接着等しなくても、凹部（８２）内へ倒れることはなく、側壁面（９０）に沿って保持される。
被施療者が椅子型マッサージ機（７０）に腰掛け、脚部（ふくらはぎ）を前述の脚部用マッサージユニット（１０）に挿入し、足先を足先用マッサージユニット（８０）の凹部（８２）（８２）に夫々挿入した状態で、側面エアバック（８３）を膨張させると、被施療者の足先（９９）が、図７に示すように、側面エアバック（８３）に押されて弾性部材（９２）へと押し付けられ、弾性部材に埋没していく。これにより、側面エアバック（８３）の膨張力を大きくしなくとも足先（９９）は凹部（８２）から逃げることなく安定して保持される。
【００３８】
従ってこの側面エアバック（８３）の膨張収縮を繰り返すことによって、強い圧迫感を感じることなく快適な揉みマッサージ感を得ることができる。
【００３９】
また側面エアバック（８３）を膨張させた状態で、底面エアバック（８４）を膨張させると、図７に示すように、指圧子（９５）が足裏を指圧マッサージする。足先（９９）は側面エアバック（８３）と弾性部材（９２）に安定的に保持されているので、指圧子（９５）の押圧力によって、足先（９９）が凹部（８２）から押し出されてしまうこともなく、効果的な指圧マッサージを施すことができる。
【００４０】
ここで底面エアバック（８４）が、ナイロン製の布地にウレタンをラミネートしたものを袋状に溶着して構成しているので、エアの供給により素早く膨張し、十分な指圧効果を得ることができる。
【００４１】
なお、指圧子（９５）は、凹部（８２）の幅方向に長い形状とし、底面エアバック（８４）に溶着しているから、足裏に局部的に強い押圧力が加わることがないので、被施療者が痛みを感じることもない。
【００４２】
側面エアバック（８３）と底面エアバック（８４）を一定時間毎に、または、ランダムに膨張、収縮させることによって、足先に揉みマッサージ、指圧マッサージを組み合わせたマッサージを施すことができる。
【００４３】
図８及び図９を用いて、本発明のマッサージ機により脚部（６０）及び足先（９９）をマッサージする実施例について説明する。
【００４４】
脚部（６０）の指圧マッサージを行なう場合には、図８に示すように、足先用マッサージユニット（８０）の側面エアバック（８３）を膨張させて、足先（９９）を保持させた状態で、脚部用マッサージユニット（１０）の底面エアバック（４０）を膨張、収縮させて、脚部（６０）の指圧マッサージを行なうことができる。この場合、脚部用マッサージユニット（１０）の側面エアバック（３０）を膨張させて脚部（６０）を保持しなくても、被施療者の身体とマッサージ機（７０）のシート部（７２）との間に作用する摩擦力と、足先（９９）の保持により、被施療者の脚部（６０）が脚部用マッサージユニット（１０）から逃げることはない。従って、被施療者は脚部（６０）を側面エアバック（３０）によって圧迫されることなく、開放感のある指圧マッサージを受けることができる。
【００４５】
脚部（６０）の指圧マッサージを行なう場合、上記のように足先用マッサージユニット（８０）の側面エアバック（８３）を膨張させて、足先（９９）を保持させた状態で行うのがよいが、必要なら脚部用マッサージユニット（１０）の側面エアバック（３０）も膨張させて、脚部（６０）も保持させた状態で行なってもよい。
【００４６】
図９は、脚部用マッサージユニット（１０）と足先用マッサージユニット（８０）を組み合わせた指圧マッサージを行なう実施例である。足先用マッサージユニット（８０）の側面エアバック（８３）を膨張させて、足先（９９）を保持させた状態で、図９に示すように、脚部用マッサージユニット（１０）の任意の底面エアバック（４０）と、足先用マッサージユニット（８０）の任意の底面エアバック（８４）を同時に膨張させることによって、ふくらはぎと足裏の両方に好適な指圧マッサージを行なうことができる。また、例えば、脚部用マッサージユニット（１０）の足先側に位置する底面エアバック（４０）と、足先用マッサージユニット（８０）のつま先側に位置する底面エアバック（８４）を同時に膨張させると、足先（９９）が持ち上げられた状態で脚部（ふくらはぎ）（６０）が指圧されるので、アキレス腱のストレッチ効果を得ることができる。
【００４７】
上述のように、底面エアバック（４０）（８４）の膨張、収縮を組み合わせることによって、バリエーションに富んだ指圧マッサージを行なうことができる。
【００４８】
図１０は、足先用マッサージユニット（８０）の異なる実施例を示している。  図１０に示すように、足先用マッサージユニット（８０）は、側面エアバック（８３）と対向する弾性部材（９２）を設けた側の側壁面（９１）を、開口側が狭くなるように縮小させてた狭隘部（９１ａ）を具える構成とすることができる。具体的には、狭隘部（９１ａ）は、開口側に向けて突出するように傾斜させている。なお、図１０では、弾性部材（９２）を省略している。また、前記側壁面（９１）だけでなく、側面エアバック（８３）が装着される側の側壁面（９０）も開口側に向けて突出するように傾斜させた狭隘部（９１ａ）を形成してもよい。
【００４９】
このように、凹部（８２）の側壁面（９１）及び／又は側壁面（９０）の開口側に狭隘部（９１ａ）を形成することによって、側面エアバック（８３）を膨張させても、足先が凹部（８２）から押し出されてしまうことはなく、より確実に安定して保持することができる。
【００５０】
なお脚部用マッサージユニット（１０）に狭隘部を設けて、脚部も安定して保持できるようにしてもよい。
【００５１】
また本発明のマッサージユニットは、脚部や足先をマッサージするために用いられているが、その他の部位例えば腕をマッサージするために用いることもできる。
【００５２】
【発明の効果】
本発明のマッサージユニットによれば、被施療部を挿入する凹部の一方の側壁面にのみ側面エアバックを配置し、凹部の側面エアバックが配置されていない側壁面には、側面エアバックを膨張させたときに、被施療部が埋没する程度の弾力性を有する弾性部材を配備したので、側面エアバックの膨張力を大きくしなくとも被施療部は凹部から逃げることなく安定して保持することができ、このことにより、強い圧迫感を感じることな快適なマッサージ感の揉みマッサージを提供することができる。
【００５３】
また本発明のマッサージユニットは、前記凹部の底面には、指圧子駆動手段により出没する指圧子を配置し、前記側面エアバックを膨張させて、側面エアバックと弾性部材間に被施療部を挟んだ状態で、指圧子駆動手段を動作させて指圧子を出没させるようにしたので、被施療部を凹部に強い圧迫感を与えることなく安定して保持して、指圧子による効果的な指圧マッサージ得ることができる。
【００５４】
また本発明のマッサージ機は、上記マッサージユニットを、被施療者の腰掛ける椅子のシート部の前方に配備したので、被施療者は椅子に腰掛けた状態で、脚部や足先部をマッサージユニットの凹部に挿入することにより、脚部や足先部に効果的な挟み揉みマッサージや指圧マッサージを施すことができる。
【図面の簡単な説明】
【図１】マッサージユニットを装着した椅子型マッサージ機の斜視図である。
【図２】マッサージユニットを揺動した状態を示すマッサージ機の斜視図である。
【図３】脚部用マッサージユニットの斜視図である。
【図４】足先用マッサージユニットの斜視図である。
【図５】足先用マッサージユニットの足裏受部を取り外した斜視図である。
【図６】脚部用マッサージユニットの断面図である。
【図７】足先用マッサージユニットの足裏受部を取り外した断面図である。
【図８】脚部用及び足先用マッサージユニットによるマッサージを説明する図である。
【図９】脚部用及び足先用マッサージユニットによるマッサージを説明する図である。
【図１０】足先用マッサージユニットの異なる実施例を示す図である。
【符号の説明】
（１０）  脚部用マッサージユニット
（７０）  マッサージ機
（８０）  足先用マッサージユニット
（２０）  凹部
（８２）  凹部
（３０）  側面エアバック
（８３）  側面エアバック
（５０）  弾性部材
（９２）  弾性部材
（４０）  底面エアバック
（８４）  底面エアバック
（４２）  指圧子
（９５）  指圧子
（９１ａ）    狭隘部
【図１】
2004230020.tif 000003
【図２】
2004230020.tif 000004
【図３】
2004230020.tif 000005
【図４】
2004230020.tif 000006
【図５】
2004230020.tif 000007
【図６】
2004230020.tif 000008
【図７】
2004230020.tif 000009
【図８】
2004230020.tif 000010
【図９】
2004230020.tif 000011
【図１０】
2004230020.tif 000012